(57)【特許請求の範囲】
【請求項１】
下向きに伏せた牌を横方向に規定のＮ個だけ一列に並べ、上下２段に積み上げた段積牌の背面及び左右両側面をコ字状に囲むことが可能な形状に形成された枠体と、
枠体の左右両端部の前側下端近くに設けた軸支部により前方水平方向と上方鉛直方向の間で回動自在に装備されて、上方鉛直方向に起立させたときに段積牌の前面を囲み、前方水平方向に倒したときに枠体の前方を開けることが可能な板状または柵状に形成された前囲い部と、
を備えたことを特徴とする麻雀用補助具。
【請求項２】
枠体の高さは伏せた牌の高さの１倍より大きく三倍以下とし、
枠体の内側空間の横幅は、牌の横幅のＮ倍以上とし、
枠体の内側空間の奥行は、立てた牌の高さの１倍以上とし、
前囲み部の横幅は、枠体の右端部から左端部に届く長さとし、
前囲み部を鉛直に立てたときの上端の高さは、寝かせた牌の高さの１．４倍以上としたこと、
を特徴とする請求項１記載の麻雀用補助具。
【請求項３】
上方鉛直方向に起立させた前囲い部を枠体の左右端部に着脱自在に固定する固定手段を備えたこと、
を特徴とする請求項１または２記載の麻雀用補助具。
【発明の詳細な説明】
【技術分野】
【０００１】
本発明は麻雀用補助具に係り、とくに麻雀を始める前の牌の山積み作業に好適な麻雀用補助具に関する。
【背景技術】
【０００２】
麻雀は記憶力、推理力など非常に頭を使うゲームとして年齢・性別を問わず広く親しまれているほか、近年は高齢者の認知症予防効果も注目されている。
けれども、老化、障害などにより手指の動きが悪くなってくると、麻雀を始める際の牌のかき混ぜ、横１７個、上下２段の積牌、配牌の内、とくに積牌作業に時間が掛かったり、失敗したりする場合があった。
【発明の概要】
【発明が解決しようとする課題】
【０００３】
本発明は上記した従来技術の問題に鑑みなされたもので、牌の山積み作業を容易に行えるようにした麻雀用補助具を提供することを、その目的とする。
【課題を解決するための手段】
【０００４】
請求項１記載の発明では、
下向きに伏せた牌を横方向に規定のＮ個だけ一列に並べ、上下２段に積み上げた段積牌の背面及び左右両側面をコ字状に囲むことが可能な形状に形成された枠体と、
枠体の左右両端部の前側下端近くに設けた軸支部により前方水平方向と上方鉛直方向の間で回動自在に装備されて、上方鉛直方向に起立させたときに段積牌の前面を囲み、前方水平方向に倒したときに枠体の前方を開けることが可能な板状または柵状に形成された前囲い部と、
を備えたことを特徴としている。
請求項２記載の発明では、
枠体の高さは伏せた牌の高さの１倍より大きく三倍以下とし、
枠体の内側空間の横幅は、牌の横幅のＮ倍以上とし、
枠体の内側空間の奥行は、立てた牌の高さの１倍以上とし、
前囲み部の横幅は、枠体の右端部から左端部に届く長さとし、
前囲み部を鉛直に立てたときの上端の高さは、寝かせた牌の高さの１．４倍以上とした
こと、
を特徴としている。
請求項３記載の発明では、
上方鉛直方向に起立させた前囲み部を枠体の左右端部に着脱自在に固定する固定手段を備えたこと、
を特徴としている。                                                    
【発明の効果】
【０００５】
本発明の麻雀用補助具によれば、枠体の内側空間の内壁が支持壁の役目を果たすので、卓上に置いた麻雀用補助具の前囲み部を前方へ水平に倒して枠体の前方を開け、下向きに伏せた多数の牌を枠体の内側空間へ入れたり、下の牌に別の牌を上に載せるだけの簡単な作業で、牌を規定の個数だけ横一列に並べ、上下２段に積み上げることができる。更に、前囲み部を回動して垂直に起立させ、枠体、牌とともに前方へ押し出し、段積牌が崩れないように四方を囲んだ状態で卓上の所望箇所へ移動したあと、麻雀補助具を離すという簡単な作業で積牌が可能となり、手指の動きが悪くても麻雀を楽しむことができるようになる。
【図面の簡単な説明】
【０００６】
【図１】図１は本発明の一実施例に係る麻雀用補助具の使用状態を示す説明図である（実施例１）。
【図２】図１中の麻雀用補助具の外観斜視図である。
【図３】図３（１）は図１中の牌を下向きに伏せた状態を示す外観斜視図、（２）は図１中の牌を立てた状態を示す外観斜視図である。
【図４】図２中のＩＶ−ＩＶ’線に沿った断面図である。
【図５】麻雀用補助具の使用方法の説明図である。
【図６】麻雀用補助具の使用方法の説明図である。
【図７】麻雀用補助具の使用方法の説明図である。
【図８】麻雀用補助具の使用方法の説明図である。
【図９】麻雀用補助具の使用方法の説明図である。
【図１０】麻雀用補助具の使用方法の説明図である。
【図１１】麻雀用補助具の変形例を示す説明図である。
【図１２】麻雀用補助具の他の変形例を示す説明図である。
【発明を実施するための最良の形態】
【０００７】
以下、本発明の最良の形態を実施例に基づき説明する。
【実施例１】
【０００８】
図１乃至図４を参照して本発明の一実施例を説明する。図１は本発明の一実施例に係る麻雀用補助具の使用状態を示す説明図、図２は図１の麻雀用補助具の外観斜視図、図３は図１中の牌の外観斜視図、図４は図２中のＩＶ−ＩＶ’線に沿った断面図である。
これらの図において、１は手指の動きが悪くても麻雀を始める際の積牌を簡単な作業で行なえるようにした麻雀用補助具である。麻雀用補助具１の内、２は下向きに伏せた牌２０を横方向に規定のＮ（ここではＮ＝１７とする）個だけ一列に並べ、上下に２段に積み上げた段積牌（図１の符号３０参照）の背面及び左右両側面をコ字状に囲むことが可能な形状に形成された枠体であり、横長で角柱状の背面側枠部３と、背面側枠部３の左右端部に設けられたＬ字状の突設枠部４、５から成る。６は枠体２の突設枠部４、５の前側下端近くに設けた軸支部（後述する符号７、８参照）により前方水平方向と上方鉛直方向の間で回動自在に装備されて、段積牌３０の前面を囲むことが可能な横長で長方形状の薄板部材から成る前囲み部である。突設枠部４、５の前側下端の下面側と、前囲み部６の内、起立時に下側となる下部の左右端部の間に、軸支部としての蝶番７、８が装着されており、前囲み部６を前方水平方向と上方鉛直方向の間で回動自在になっている。
【０００９】
枠体２の高さＨは下向きに伏せた牌２０の高さをｄとして（図３（１）参照）、ｄ＜Ｈ≦３ｄに形成されている（好ましくは１．５ｄ≦Ｈ≦２．５ｄ、より好ましくはＨ＝２ｄ程度）。図１ではＨは２ｄより少しだけ高く形成されているものとする。枠体２の内側空間９の横幅Ｗは、下向きに伏せた牌２０の横幅をｗとして（図３（１）参照）、Ｎ・ｗ≦Ｗに形成されている（好ましくはＮ・ｗ≦Ｗ≦（Ｎ＋1 ）・ｗ、より好ましくはＷ＝（Ｎ＋０．５）・ｗ程度）。図１ではＷはＮ・ｗより少しだけ長く形成されているものとする。枠体２の内側空間９の奥行Ｄは、立てた牌２０の高さをｈとして（図３（２）参照）、ｈ≦Ｄ＜２ｈに形成されている（好ましくはｈ≦Ｄ≦１．５ｈ、より好ましくはＤ＝１．３・ｈ程度）。図１ではＤはｈより少しだけ長く形成されているものとする。
【００１０】
一方、前囲み部６の横幅Ｌは枠体２の左端部の突設枠部４から右端部の突設枠部５まで届く長さに形成されており、ここでは枠体２の横幅と略同一に形成されているものとする。また、前囲み部６は、鉛直に立てたときの上端の高さＨ１が伏せた牌２０の高さｄの１．４倍以上に形成されており、ここでは、Ｈ 1＝３ｄ程度に形成されているものとする。また、前囲み部６の下端の高さＨ２は伏せた牌の高さｄの０．８倍以下に形成されており、ここでは、Ｈ２＝０．２ｄ程度に形成されているものとする（図（３）参照）。
枠体２、前囲み部６の材質には、木材、プラスチック材、硬質紙材、ゴム材などを用いることができる（枠体２と前囲み部６は同一の材質を用いても良く、異なる材質を用いても良い）。
【００１１】
次に、図５乃至図１０を参照して上記した実施例の使用方法を説明する。
積牌をする前に、卓上の手元寄りに麻雀用補助具１を置き、前囲み部６を前方水平方向に倒しておく。ユーザは卓上の多数の牌２０を手で集め、一つづつ下向きに伏せた状態で枠体２の内側空間９に入れ、横に並べて行く（図５（１）乃至（３）、図７（１）参照）。一段目が並べ終わったら、下の牌２０の上に別の牌２０を載せることにより、２段目も同様にして横に並べて行く（図６（１）乃至（３）、図７（２）参照）。内側空間９の内壁１０乃至１２と牌２０の隙間が狭く、内部空間９の内壁１０乃至１２が定規と支持壁の役目を果たすので、牌２０は横一列で２段重ねの状態にほぼ自動的に整列する。
なお、図８（１）に示す如く内部空間９に収納した牌２０の列が少し乱れているとき、枠体２を斜め前方へ移動し、各牌２０を内壁１０乃至１２に押し付けることにより、真っすぐ一列に整列させることができる（図８（２）参照）。
【００１２】
横にＮ＝１７個、上下２段の段積牌３０が出来上がったところで、前囲み部６を上方鉛直向きに立てて段積牌３０を四方から囲んだ状態とし（図１の矢印、図７（３）の矢印参照）、前囲み部６と枠体２を段積牌３０とともに卓上を滑らせて前方の所定箇所に押し出し、移動する。前囲み部６を上方鉛直向きに立てて段積牌３０を前方の所定箇所に押し出したとき、段積牌３０の列の前面が少し乱れているときは（図９（１）参照）、枠体２を斜め後方へ移動し、各牌２０を前囲み部６の背面１３、内壁１１、１２に押し付けることにより、真っすぐ一列に整列させることができる（図９（２）参照）。
そして、麻雀用補助具１を上方へ持ち上げて、段積牌３０から離間させれば、卓上に横Ｎ＝１７個、上下２段の段積牌３０が残り、積牌が完了する（図１０参照）。
【００１３】
この実施例によれば、枠体４の内側空間９の内壁１０乃至１２が定規と支持壁の役目を果たすので、前囲み部６を前方へ水平に倒して枠体２の前方を開け、伏せた多数の牌２０を枠体２の内側空間９へ横に並べて入れたり、２段に重ねたりするだけの簡単な作業で、牌２０を規定の個数Ｎだけ横一列に並べ、２段に積み上げることができ、更に、前囲み部６を回動して垂直に起立させて枠体２、段積牌３０とともに卓上を滑らせて前方へ押し出すことにより、整列した段積牌３０が崩れないように四方を囲んだ状態で、卓上の所望箇所へ移動可能となる。最後に麻雀用補助具１を上方へ持ち上げて、段積牌３０から離間させれば、卓上に段積牌３０が残り、積牌が完了する。この結果、手指の動きが悪いユーザであっても、容易に積牌作業を行うことができる。
【００１４】
なお、上記した実施例では、前囲い部を横長長方形の板状としたが、図１１（１）の麻雀用補助具１Ａの前囲み部６Ａに示す如く、横長長方形の柵状としたり、図１１（２）の麻雀用補助具１Ｂの前囲み部６Ｂに示す如く、横長長方形で多数の透孔１４の開いた板状とするなど、種々の形状に置き換えて良いのは勿論である。
【００１５】
また、上方鉛直方向に起立させた前板を枠体の左右端部に着脱自在に固定する固定手段を装備しても良い。例えば、図１２の麻雀用補助具１Ｃに示す如く、枠体２の左右の突設枠部４、５の前面と前囲み部６の対応する箇所に固定手段の一例としての磁着部材１５、１６を装着して、起立させた前板６と左右の突設枠部４、５の前面を着脱自在に磁着させるようにすれば、起立させた前囲み部６を手で支持する手間が省ける（突設枠部４、５の前面の磁着部材１５を磁石とするきは、前囲み部６の磁着部材１６は磁石または鋼板等の磁性体とすれば良く、突設枠部４、５の前面の磁着部材１５を磁性体とするきは、前囲み部６の磁着部材１６は磁石とすれば良い）。
また、Ｎ＝１７として説明したが、１６、１８など、１７以外の個数であっても良い。
【産業上の利用可能性】
【００１６】
本発明は、雀荘、老人ホーム、家庭などで、手指の動きの悪い人が麻雀を楽しむ場合に好適である。
【符号の説明】
【００１７】
１  麻雀用補助具
２  枠体
３  背面枠部
４、５  突設枠部
６  前囲み部
７、８  蝶番
９  内側空間
１０乃至１２  内壁
２０  牌
３０  段積牌
【図１】
0006864925.tif 000002
【図２】
0006864925.tif 000003
【図３】
0006864925.tif 000004
【図４】
0006864925.tif 000005
【図５】
0006864925.tif 000006
【図６】
0006864925.tif 000007
【図７】
0006864925.tif 000008
【図８】
0006864925.tif 000009
【図９】
0006864925.tif 000010
【図１０】
0006864925.tif 000011
【図１１】
0006864925.tif 000012
【図１２】
0006864925.tif 000013